(57)【要約】  本発明は、厨房用ハンドプロテクタに関し、ユーザの手の甲と指に着用して、包丁の刃からユーザの手を保護すると共に着用中における指の自由な動きを確保するように構成されることによって、ユーザが料理する過程で刃に傷つけられることから保護し、このため安心して快適に料理することができ、指の自由な動きを確保するため刃物を使う速度が速くなって調理をより迅速にすることができる。【選択図】図１
2007538170.tif 000002
【特許請求の範囲】
【請求項１】
手の甲に対応する形状を有する手の甲の外側部と、
各指に対応する形状を有する複数の指の外側部と、
前記手の甲の外側部と各前記指の外側部の内側面と結合しながら手の甲を覆って各指を入れるようになされた内側部材とを含むことを特徴とする厨房用ハンドプロテクタ。
【請求項２】
前記内側部材の端部に結合しながら手首に巻回するバンド部材をさらに含むことを特徴とする請求項１に記載の厨房用ハンドプロテクタ。
【請求項３】
各前記指の外側部は、指の各節に対応する複数のパートに分離していることを特徴とする請求項１に記載の厨房用ハンドプロテクタ。
【請求項４】
前記内側部材は、手袋状からなることによって手の甲を覆って各指を入れるようになっていることを特徴とする請求項１に記載の厨房用ハンドプロテクタ。
【請求項５】
前記内側部材の底面に被切断物の把持のために滑り防止用突起が形成されていることを特徴とする請求項１に記載の厨房用ハンドプロテクタ。
【請求項６】
前記手の甲の外側部の端部に手首側に包丁の刃が滑り落ちることを防止するための鍔が形成されていることを特徴とする請求項１に記載の厨房用ハンドプロテクタ。
【請求項７】
前記内側部材は、弾性を有しながら各指の関節が容易に折り曲げられるように指の各節の間に対応する位置の下側面に凹溝部が形成されていることを特徴とする請求項１に記載の厨房用ハンドプロテクタ。
【請求項８】
前記内側部材は、その下側面の一定部位に補強材が一体的に結合されることを特徴とする請求項１に記載の厨房用ハンドプロテクタ。
【請求項９】
前記内側部材は、指部に少なくとも１つの水排出孔が形成されていることを特徴とする請求項１に記載の厨房用ハンドプロテクタ。
【請求項１０】
前記内側部材は、その下側面の部位が網目状のメッシュ部で形成されていることを特徴とする請求項１に記載の厨房用ハンドプロテクタ。
【請求項１１】
前記内側部材は、その全体が網目状のメッシュからなることを特徴とする請求項１に記載の厨房用ハンドプロテクタ。
【請求項１２】
前記内側部材は、前記指部の端部に爪が受容される受容部が形成されていることを特徴とする請求項１に記載の厨房用ハンドプロテクタ。
【請求項１３】
前記手の甲の外側部と前記指の外側部は、連結部材によって相互連結されていることを特徴とする請求項１または３に記載の厨房用ハンドプロテクタ。
【請求項１４】
前記バンド部材は、その両端部に相互対応する雌・雄ベルクロテープが設けられて、相互着脱可能になっていることを特徴とする請求項１に記載の厨房用ハンドプロテクタ。
【請求項１５】
各指の関節に対応するように各々設けられて、その内側面が前記内側部材に結合される複数の関節外側部をさらに含むことを特徴とする請求項３に記載の厨房用ハンドプロテクタ。
【請求項１６】
前記指の外側部の隣接する各パートは、端部が「Ｕ」状で、その間にある指の関節を中心として互いに対称になるように形成され、
前記関節外側部は、前記指の外側部の隣接する各パートの互いに対向する端部間に各々配置されることを特徴とする請求項１５に記載の厨房用ハンドプロテクタ。
【請求項１７】
各前記外側部は、その端部が指の長手方向に対して傾斜するように形成されたことを特徴とする請求項１または３または１５に記載の厨房用ハンドプロテクタ。
【請求項１８】
前記各外側部は、チタニウム素材であることを特徴とする請求項１または３または１５に記載の厨房用ハンドプロテクタ。
【請求項１９】
前記各外側部は、その外側面に蛍光塗料が各々塗布されていることを特徴とする請求項１または３または１５に記載の厨房用ハンドプロテクタ。
【請求項２０】
前記内側部材は、手袋状からなることによって手の甲を覆って各指を入れるようになっており、通気性および排水性を向上させるために手の平に対応する部分が開放されていることを特徴とする請求項１または３または１５に記載の厨房用ハンドプロテクタ。
【請求項２１】
前記内側部材は、液状の蛍光塗料が添加されていることを特徴とする請求項１に記載の厨房用ハンドプロテクタ。
【請求項２２】
前記内側部材は、手の甲を覆う手の甲の内側部と、各指を入れる複数の指の内側部とからなることを特徴とする請求項１に記載の厨房用ハンドプロテクタ。
【請求項２３】
前記手の甲の内側部と前記指の内側部は、取付けられたバンド部によって各々手の甲と指に固定されることを特徴とする請求項２２に記載の厨房用ハンドプロテクタ。
【請求項２４】
各前記指の外側部と前記手の甲の外側部は、
各前記指の外側部の端部と前記手の甲の外側部の端部のうちの一方に形成された嵌合突起と、各前記指の外側部の端部と前記手の甲の外側部の端部のうちの他方に形成されて前記嵌合突起に対応する嵌合溝からなる着脱手段を有していることを特徴とする請求項１または２２に記載の厨房用ハンドプロテクタ。
【請求項２５】
前記内側部材は、端部に、手の甲および指に接触するように対応する形状を有した、指が挿入される空間部が形成されて、少なくとも一部位が回転可能にピン結合されることを特徴とする請求項１に記載の厨房用ハンドプロテクタ。
【請求項２６】
前記内側部材は、手の甲を覆う手の甲の内側部と各指を入れる複数の指の内側部とからなり、各前記指の内側部は指の各節に対応する複数のパートに分離して、前記手の甲の内側部と各前記指の内側部が回転可能にピン結合されると共に各前記指の内側部の各パートが相互に回転可能にピン結合されていることを特徴とする請求項２５に記載の厨房用ハンドプロテクタ。
【請求項２７】
前記内側部材の端部に結合し、かつ手首に巻回するバンド部材をさらに含むことを特徴とする請求項２５に記載の厨房用ハンドプロテクタ。
【発明の詳細な説明】
【技術分野】
【０００１】
本発明は、厨房用ハンドプロテクタに関し、より詳しくは、厨房で包丁を用いて食べ物を切断する時、指および手の甲などを包丁の刃から保護しながら、手を自由に動かすことができる厨房用ハンドプロテクタに関するものである。
【背景技術】
【０００２】
通常、食べ物の調理のために包丁を用いて料理材料を切る時は、片手で料理材料を握って固定した状態で、他方の手に持った包丁で料理材料を切って料理する。
【発明の開示】
【発明が解決しようとする課題】
【０００３】
料理材料を切る時、通常、片手で料理材料を握って固定するため、少しの不注意でも、包丁の刃によってユーザの指が傷つけられる恐れがある。
【０００４】
前記事故が発生するのは主に、包丁が頻繁に使用される食堂の厨房である。また、刃物の使い方に熟練していない者は、頻繁に包丁による怪我をしうる。
【０００５】
包丁の刃は鋭いうえ、料理材料を切るには強く力を入れなければならないため、傷を受けやすく、激しい場合、指の関節が切断される恐れがある。  
【０００６】
それゆえ、包丁を用いて切る時、ユーザは指を切らないように集中してゆっくり切らなければならいため、調理速度が低下するだけでなく、調理に対する拒否感や不安感を持つようになるなどの問題点がある。
【０００７】
したがって、本発明は、前記諸問題点を解消するために提案されたもので、その目的は包丁を使う時、指および手の甲などを切らないように保護しながら手の動作を自由にすることができ、料理材料をしっかり握って固定することが容易にできる厨房用ハンドプロテクタを提供することにある。
【課題を解決するための手段】
【０００８】
上記のような目的を達成するため、本発明に係る厨房用ハンドプロテクタは、手の甲に対応する形状を有する手の甲の外側部と、各指に対応する形状を有する複数の指の外側部と、前記手の甲の外側部と各前記指の外側部の内側面と結合しながら、手の甲を覆って各指を入れるようになされた内側部材とを含むことを特徴とする。
【発明の効果】
【０００９】
本発明の厨房用ハンドプロテクタは、ユーザの手の甲と指に着用して、包丁の刃からユーザの手を保護すると共に着用中でも指の自由な動作が確保されるように構成されている。
【００１０】
したがって、本発明を利用すれば、ユーザが調理する過程で刃に傷つけられることから保護され、このため安心して料理することができ、指の自由な動きを確保しケガから防ぐので刃物を使う速度が速くなって、調理をより迅速にすることができる非常に有用な効果がある。
【発明を実施するための最良の形態】
【００１１】
本発明に係る厨房用ハンドプロテクタは、手の甲に対応する形状を有する手の甲の外側部と、各指に対応する形状を有する複数の指の外側部と、前記手の甲の外側部と各前記指の外側部の内側面と結合しながら、手の甲を覆って各指を入れるようになされた内側部材とを含むことを特徴としており、これを具体的に実現するための本発明の実施例は次の通りである。
【実施例１】
【００１２】
本発明の実施例１に係わる厨房用ハンドプロテクタは、図１および図２を参照して説明すれば、その構成はユーザの指に対応するように各々分離可能で、手の甲を覆うことができるようになっている内側部材１００と、その内側部材１００の外側面に一体的に結合されて包丁の刃による衝撃にも耐えられるほどの硬度を有する外側部材２００と、その内側部材１００の端部に一体的に結合されてユーザの手首を巻回するバンド部材３００とからなる。
【００１３】
より詳細に説明すれば、内側部材１００は、ユーザの手に直接接触するため指が受容される空間を有し、さらに好ましくは各指の関節の個別的な動きを可能にする。
【００１４】
すなわち、内側部材１００の下側面の指の関節に対応する部位に凹溝部１２５が形成されて、関節の折り曲げ動作が容易にできるようになっている構造を有し、あるいはその部位が切開されて内外側が連通することもできる。
【００１５】
そして、内側部材１００は、指部の端部に爪を受容するための空間が設けられるように受容部１１５が延伸形成され、これによって爪が受容される内側部材１００の上部が下部より長く形成される構造を有する。
【００１６】
また、本発明のハンドプロテクタが厨房で用いられることによって、水気が内側部材１００の内部に流入するため、流入した水気の排出のために内側部材１００の端部に水排出孔１１２が形成されている。
【００１７】
内側部材１００の他の例では図３に示すように、内側部材１００の各指部１１０の下側面の一部位に、料理材料の把持の滑りを防止するために複数の滑り防止用突起１２２が形成されている。
【００１８】
その滑り防止用突起１２２は、内側部材１００と同一素材からなることが好ましいが、異なる素材で製造した後に内側部材１００に一体的に接着する方式を採用することもできる。
【００１９】
また、他の例では図４に示すように、その内側部材１００の下側面の一部分に網目状のメッシュ部１５０が形成されたものを採用することができ、または図５に示すように、内側部材１００’の全体を網紗目状のメッシュに形成したものを採用することもできるが、いずれの内側部材１００，１００’にも水排出機能および滑り防止の機能を加えることができる。  
【００２０】
また、外側部材２００は、内側部材１００の上側面の動きに対して干渉しないように手の甲に接触する手の甲の外側部２１０と指に接触する指の外側部２２０とで構成される。
【００２１】
そして、各指の外側部２２０は、図１および図５に示されているように、指の各節に対応する複数のパートに分離していてもよく、指の動きに支障がない限り単体のものとして設けられてもよい。
【００２２】
また、外側部材２００の他の例として、図６に示すように、手の甲の外側部２１０と各指の外側部２２０をワイヤまたはチェーンなどの連結部材２３０によって相互連結することもできる。
【００２３】
内側部材１００は、ユーザの手と直接接触するため、手の自由な動きと肌健康のために伸縮性が良く、かつ人体に無害な素材（一例として、最近米国食品医薬局（ＦＤＡ）の承認を受けた先端新素材のプラスチックとゴムの中間性格のＳＰＣＴＣＲ素材、天然ゴムのラテックス、合成樹脂材、シリコンなど）が好ましい。また、内側部材１００には抗菌剤や芳香剤などを添加することもできる。
【００２４】
一方、本発明の外側部材２００は、十分な硬度を有しなければならないため、金属材あるいは高硬度のプラスチック材が好ましいが、包丁の刃による傷を防止できる程度に硬度が充分であれば木材や革などの他の素材を採用することもできる。
【００２５】
より好ましくは、その外側部材２００の材質は、厨房で水に晒される点を考慮して、腐食に強く、硬度が大きく、人体に無害な素材のチタニウムやステンレス鋼などを採用することもできる。
【００２６】
外側部材２００の手首側端部には、包丁が滑り落ちて手首に外傷を与えることを防止するために、鍔２１５が上側に突出するように折り曲げられて形成されている。
【００２７】
また、バンド部材３００は、ユーザの手首を巻回しながら内側部材１００をユーザの手に密着させるために、弾力的な材質（例：ゴム、合成樹脂など）を採用することが好ましく、その構造は手首の蓋部とその手首の蓋部から両外側に延伸する両端部とで構成され、その両端部の互いに対応する位置に雌・雄ベルクロテープ３３２，３３４が各々設けられて、相互着脱可能になっている。
【００２８】
このような構成を有する本発明の実施例１に対する作用を説明すれば次の通りである。
【００２９】
本発明の厨房用ハンドプロテクタは、先ずその組立て過程を説明すれば、バンド部材３００の手首の蓋部を内側部材１００の端部と面接触するようにした後、ボンド、シリコンなどの接着剤を用いて接着したり、熱融着で一体的に結合させたりする。
【００３０】
次に、外側部材２００を内側部材１００の上側面に位置するようにした後、シリコンなどの接着剤で接着して一体化させる。
【００３１】
前記組立て順序で容易に組立てられるが、この組立て順序に関わらず組立てに支障を与えない範囲内でいくらでも変更することができる。
【００３２】
組立済みの本発明の厨房用ハンドプロテクタは、ユーザが厨房で料理材料を切るために包丁を用いる前に、包丁を使わない手に着用することができ、その着用過程は先ず指を内側部材１００の内部に受容させるように入れた後、バンド部材３００の手首の蓋部を手首の上に位置させると共に、両端部のうちの一端部を手首の外側に巻回し、両端部を相互に固定させる。
【００３３】
このように着用が完了した後には内側部材１００内に各々受容された指の曲げ伸ばし動作が容易にできるため、切ろうとする対象物の料理材料を押さえて固定した後で刃物を使うことができ、この時ユーザが不注意な誤りをしても硬度が高い素材の外側部材２００によって包丁の刃からユーザの手を保護することができる。
【００３４】
一方、図７は、本発明の実施例１におけるバンド部材の結合構造の他の例を示す要部斜視図で、図８は、図７のＡＡ方向断面図であって、前記図７および図８に示されたようなバンド部材３００は、上記説明した例とは異なりその両端部が手首に巻回した状態で固定するように、一端部の外側に突出して形成された係止突起３２４と、その両端部のうちの他端部に形成された内側面に係止部を有する複数の係止孔３２２とを有することによって、両端部が相互連結するように設けられている。
【００３５】
その係止突起３２４と係止孔３２２は、両端部の外周面を環状に巻回するようにすると共に長さ調節が可能になるように設けられたもので、係止突起３２４が係止孔３２２の内部にスライド移動が可能になっている。
【００３６】
一方、図９は、本発明の実施例１におけるバンド部材の結合構造のまた他の例を示す要部斜視図であって、図９の本発明のバンド部材３００は上記説明した例とは異なり両端部に設けられた着脱手段によってその両端部が手首に巻回された状態で長さの調節が可能になるようにベルトタイプの結合構造を有するが、両端部のうちの一端部に複数の挿通孔３４２が相互に一定間隔で離隔形成され、他端部に挿通孔３４２に挿入可能な固定片３４４が設置された構造を有する。
【００３７】
一方、図１０は、本発明の実施例１における内側部材のまた他の例であって、内側部材の下側面に補強材を取付けた例を示す斜視図であって、図１０に示された内側部材１００は、同図面に示されているように、内側部材１００の下部面、例えば、指の腹などに別途の補強材４００をボンドやシリコンなどの接着剤または熱融着方式や射出方式で接着することによって、内側部材１００の指の腹に対応する部位を追加的に補強することもできる。
【実施例２】
【００３８】
本発明の実施例２に係わる厨房用ハンドプロテクタは、図１１〜図１６を参照すれば、その構成は指の節の外側面を覆うことができるように各々対応する形状を有する第１、第２指の外側部１１１０，１１２０と，その第１、第２指の外側部１１１０，１１２０の端部と近接して位置し、手の甲を覆うことができるように対応する形状を有する手の甲の外側部１１３０と、その第１、第２指の外側部１１１０，１１２０と手の甲の外側部１１３０との内側面に一体的に結合し、ユーザの手の甲と指の上側面と直接接触する内側部材１２００と、その内側部材１２００の端部に一体的に結合し、ユーザの手首を巻回して固定するようになっているバンド部材１３００とで構成されたものである。
【００３９】
より詳細に説明すれば、手の甲の外側部１１３０と第１、第２指の外側部１１１０，１１２０との内側面に、内側部材１２００が一体的に結合されることによって、手の甲の外側部１１３０と第１、第２指の外側部１１１０，１１２０とが一体的に連結される構造を有する。
【００４０】
その指の節の外側を覆う第１、第２指の外側部１１１０，１１２０は、関節を基準に分離して、その分離した関節の外側面を覆うことができるように第１、２関節外側部１１４０，１１５０が備えられる。
【００４１】
また、その第１、第２指の外側部１１１０，１１２０は、その端部を指の長手方向に対して傾斜する形態に形成することによって、包丁Ｋの刃の進行方向と相反して傾斜するようになされるが、これは第１、第２指の外側部１１１０，１１２０と第１、２関節外側部１１４０，１１５０の間の隙間に包丁Ｋが侵入する危険性を防ぐためである。
【００４２】
ユーザが右利きの場合、通常、包丁Ｋの刃が指の長手方向に対して直交する方向または左上端側から右下端側への傾斜角で進むため、右利きのためには、第１、第２指の外側部１１１０，１１２０の端部が刃の進行方向と相反して傾斜するように、図１１〜図１６に示すように、左下端側から右上端側への傾斜角を有するように形成することが好ましい。
【００４３】
反対に、ユーザが左利きの場合には、第１、第２指の外側部１１１０，１１２０の端部を前記右利きの場合の傾斜角とは反対方向に形成することが好ましい。
【００４４】
第１、第２指の外側部１１１０，１１２０および手の甲の外側部１１３０と第１、２関節外側部１１４０，１１５０は、同一素材からなるものを採用することもでき、包丁Ｋの刃からユーザの手Ｈを保護することができるほどの硬度を有して人体に無害な素材のチタニウムやステンレス鋼などを採用することが好ましいが、包丁の刃による損傷を防止することができる程度に硬度が充分であれば木材や革などの他の素材を採用することもできる。
【００４５】
また、その内側部材１２００は、前記外側部１１１０〜１１５０とは異なる材質を採用するが、ユーザの手と直接接触するため、手の自由な動きと肌健康のために伸縮性が良く、かつ人体に無害な素材（一例として、最近米国食品医薬局（ＦＤＡ）の承認を受けた先端新素材のプラスチックとゴムの中間性格のＳＰＣＴＣＲ素材、天然ゴムのラテックス、合成樹脂材、シリコンなど）が好ましい。
【００４６】
そして、内側部材１２００は、同一素材の単一層または複数層で構成されることもでき、層ごとに色素を添加し層ごとに異なる色にすることもできる。
【００４７】
内側部材１２００は、第１、第２指の外側部１１１０，１１２０と手の甲の外側部１１３０の内側面に一体的に結合するように特殊接着剤などを用いて接着させることができ、その接着過程で手の甲の外側部１１３０と第１、第２指の外側部１１１０，１１２０との周縁部位が内側部材１２００の内側に挿入されるように射出工程を介して製作される。
【００４８】
すなわち、本発明の実施例２に係わるプロテクタは、その製作工程の一例において、第１、第２指の外側部１１１０，１１２０と手の甲の外側部１１３０が相互に離隔するように金型に支持された状態で液状の内側部材１２００をその内側面に塗布した後、固まって一体化したプロテクタを金型から離脱させて製品を完成することができる。
【００４９】
また、その液状の内側部材１２００には公知の通常の蛍光塗料１４００が添加されることが好ましく、このように蛍光塗料１４００を添加する場合、暗い場所で内側部材１２００が発光して視界を確保することができるため、室内照明がない場所でもユーザが安全に包丁Ｋを使用することができる。
【００５０】
その内側部材１２００の構造は、ユーザの指と手の甲の外側面を覆うことができるように対応する形状を有し、その内側面には通気性および排水性を考慮して指の部位だけを受容するように手の平の部位が開放された構造を有する。  
【００５１】
また、その内側部材１２００の内側面の指部には厨房で用いる時の排水性を考慮して排水孔１２０２が各々複数形成されている。
【００５２】
そして、バンド部材１３００は、伸縮性の材質を用いて、ユーザの手首を弾性的に押圧支持するためのものであって、両側端部の相互締結のために一端部に止め具１３１０が設けられて、他端部には複数の開口１３２０が一定間隔に離隔形成された構造を有し、その材質は特定のものに限定されないが弾性力を有する素材を採用することが好ましい。
【００５３】
また、バンド部材１３００の両側端はベルト係合方式では係合されないが、両側端部に設けられたベルクロを用いて相互係合されてもよい。
【００５４】
その各外側部の外側面には内側部材１２００とは異なり、蛍光塗料１４００が添加されるのではなく、層をなすように塗布されることもできる。
【００５５】
一方、第１、第２指の外側部１１１０，１１２０と第１関節外側部１１４０の第２実施例の他の例は、図１７に示すように、同図面に示されているように、第１、第２指の外側部１１１０，１１２０の端部形状を概略「Ｕ」状で互いに対称になるように丸みを持たせて形成し、第１、第２指の外側部１１１０，１１２０の端部間に設けられる第１関節外側部１１４０を概略円形に形成する。
【００５６】
このように第１、第２指の外側部１１１０，１１２０の互いに対向する端部形状を互いに対称的な「Ｕ」状にして第１関節外側部１１４０を円形に形成する場合、第１、第２指の外側部１１１０，１１２０と第１関節外側部１１４０との間の隙間が直線状にならないため、その隙間に包丁Ｋの刃が侵入する危険性を完全に防止することができる。
【００５７】
特に、この構造はユーザが右利きであるか左利であるかに関わらずハンドプロテクタが使用可能である点で有利である。
【００５８】
その他にも、第１、第２指の外側部１１１０，１１２０を含む各外側部１１１０〜１１５０の端部形状は様々な形態で変形実施が可能である。
【００５９】
以下では本発明の実施例２の作用について説明する。
【００６０】
本発明の実施例２に係わる厨房用ハンドプロテクタは、射出などの作業工程を介して内側部材１２００と各外側部が一体化し、その一体化したプロテクタ内に各々ユーザの指と手の甲とが受容されるように入れれば、ユーザの指は内側部材１２００の内部に受容され、手の甲は内側部材１２００と手の甲の外側部１１３０によって覆われ、バンド部材１３００の両側端部をユーザの手首に巻回するように相互締結してユーザの手Ｈに装着する。
【００６１】
その後、ユーザが食材料を固定するように押さえた状態で包丁を用いて切断するが、この時、内側部材１２００の伸縮性により、指の関節を折り曲げ、被切断物の端部を押さえて固定することができる。
【００６２】
また、指の節に対応する位置に設けられている第１、第２指の外側部１１１０，１１２０が互いに分離されているため、指関節を折り曲げる時、伸張した内側部材１２００に連結された状態で相互に回転可能になる。
【００６３】
この時、分離された第１、第２指の外側部１１１０，１１２０の間に位置した第１関節外側部１１４０が指関節の外側に位置するようになり、また分離された第２指の外側部１１２０と手の甲の外側部１１３０との間に第２関節外側部１１５０が位置するようになるため、その指を折り曲げた状態でも関節を包丁から保護することができる。
【００６４】
さらに、ユーザの手に装着されたハンドプロテクタは、ユーザが厨房で包丁を用いて料理材料を切る過程で手を包丁で切ったり、完全に切断したりすることを防止する。
【００６５】
したがって、手に装着されたハンドプロテクタはユーザ手の外側面の一部を覆うようになると共に、指の外側面を覆う第１、第２指の外側部１１１０，１１２０が分離される構造になっているため、ユーザの手Ｈの部位の外側面を保護できるだけでなく、指を折り曲げて料理材料などを固定させることが容易になる。
【実施例３】
【００６６】
本発明の実施例３に係わる厨房用ハンドプロテクタは、図１８〜図２０を参照すれば分かるように、指の上側を覆うことができるように各々対応する形状を有する指の外側部２１２０と、その指の外側部２１２０の端部に近接して位置し、手の甲を覆うことができるように対応する形状を有する手の甲の外側部２１１０と、その指の外側部２１２０と手の甲の外側部２１１０との下側面に一体的に結合し、ユーザの手の甲と指と直接接触する手の甲の内側部２２１０と指の内側部２２２０に各々一体的に結合し、ユーザの指と手の甲を巻回するように弾性力を有するバンド部２３００で構成される。
【００６７】
より詳しくは、複数の指の外側部２１２０の下側面に各々の指の内側部２２２０が一体的に結合され、手の甲の外側部２１１０の下側面に手の甲の内側部２２１０が一体的に結合される構造を有する。
【００６８】
前記指の外側部２１２０および手の甲の外側部２１１０と指の内側部２２２０および手の甲の内側部２２１０とは、互いに異なる材質を採用するが、各外側部２１１０，２１２０は包丁の刃からユーザの手を保護できるほどの硬度を有して人体に無害なチタニウムやステンレス鋼などの素材を採用することが好ましい。
【００６９】
そして、各内側部２２１０，２２２０は、ユーザの手と直接接触するため、手の自由な動きと肌健康のために伸縮性が良く、かつ人体に無害な素材（一例として、最近米国食品医薬局（ＦＤＡ）の承認を受けた先端新素材のプラスチックとゴムの中間性格のＳＰＣＴＣＲ素材、天然ゴムのラテックス、合成樹脂材、シリコンなど）が好ましい。
【００７０】
バンド部２３００は、ユーザの指および手の甲の部位を弾性的に押圧支持するためのものであって、例えば、弾性力を有する合成ゴム材を採用することができる。
【００７１】
手の甲の外側部２１１０と指の外側部２１２０には指と手の甲の自由な運動が確保されるように、他の部分とは厚さが異なる折曲部２１５０が形成されている。
【００７２】
このような構造を有する本発明の実施例３に対する作用を説明すれば次の通りである。
【００７３】
本発明の実施例３に係わる厨房用ハンドプロテクタは、指の内側部２２２０を指の外側部２１２０の下側面に接着剤などを用いて結合させ、手の甲の内側部２２１０を手の甲の外側部２１１０の下側面に一体化するように結合させた後、各指の外側部２１２０と手の甲の外側部２１１０が各々ユーザの指と手の甲にバンド部２３００を用いて締結するように結合させれば、組立て過程が完了する。
【００７４】
この時、バンド部２３００は、伸縮性の材質であるため、下側に引き各指の内側部２２２０と手の甲の内側部２２１０との間隔を広げた後、ユーザの手を入れて結合させれば、バンド部２３００がユーザの手を巻回するように締結されユーザの手にハンドプロテクタ２１００が装着される。
【００７５】
ユーザの手に装着されたハンドプロテクタ２１００は、ユーザが厨房で包丁を用いて料理材料を切る過程で手を包丁で切ったり、完全に切断したりすることを防止する、ケガからの保護機能を有する。
【００７６】
ここで、手に装着されたハンドプロテクタは、ユーザの手の上側面の一部のみを覆うようになるため、指や手の甲の下側面を用いて料理材料などを把持するのを妨げないようになる。
【００７７】
一方、手の甲の外側部および各指の外側部の第３の実施例の他の例は、図２１および図２２に示すように、各指の外側部２１２０が着脱手段によって手の甲の外側部２１１０の端部に各々着脱可能になっている構造を有する。
【００７８】
前記着脱手段は、各指の外側部２１２０が手の甲の外側部２１１０にヒンジ結合されるように、各指の外側部２１２０の両側から外側に突出するように形成された嵌合突起２４１０と、各指の外側部２１２０の端部と連結する手の甲の外側部２１１０の端部に嵌合突起２４１０と対応するように各々形成された嵌合溝２４２０を含む。
【００７９】
すなわち、指の外側部２１２０の端部の両側に形成された嵌合突起２４１０が手の甲の外側部２１１０の端部に各々形成された嵌合溝２４２０に嵌合されて、回動可能にヒンジ結合される構造を有する。
【００８０】
これは、ユーザの便宜上、各指の外側部２１２０を選択的に取り外すことができるようにするためである。
【００８１】
一方、前記着脱手段は、前記図２１および図２２で説明した構造とは異なって、嵌合突起２４１０を手の甲の外側部２１１０の端部に形成し、嵌合溝２４２０を各指の外側部２１２０の端部の両側に形成することもできる。
【実施例４】
【００８２】
本発明の実施例４に係わる厨房用ハンドプロテクタは、図２３〜図２５を参照して説明すれば、その構成はユーザの手の甲と指を覆うことができるように対応する形状を有し、指部に結合ピン３４１０でピン結合される内側部材３１００と、その内側部材３１００の外側面にシリコンによって一体的に接着される外側部材３２００と、その内側部材３１００の端部側にシリコンによって一体的に接着されて両端部がユーザの手首を巻回するように相互に着脱可能なバンド部材３３００とで構成される。
【００８３】
さらに詳細に説明すれば、その内側部材３１００は、第１、２、３蓋部３１１０，３１２０，３１３０に区分され、その第１蓋部３１１０はユーザの手の甲を覆うように形状が対応し、第２蓋部３１２０は第１蓋部３１１０の端部と結合ピン３４１０によって結合されて回転可能で、親指を除いた残りの指を覆う形状を有し、第３蓋部３１３０は第１蓋部３１１０の端部と結合ピン３４１０によって貫通結合されて回転可能に親指を覆う。
【００８４】
ここで、内側部材３１００は、その下側面がユーザの手に直接接触するため、手の自由な動きと肌健康のために伸縮性が良く、かつ人体に無害な素材（一例として、最近米国食品医薬局（ＦＤＡ）の承認を受けた先端新素材のプラスチックとゴムの中間性格のＳＰＣＴＣＲ素材、天然ゴムのラテックス、合成樹脂材、シリコンなど）が好ましい。
【００８５】
そして、外側部材３２００は、内側部材３１００の第１、２、３蓋部３１１０，３１２０，３１３０と各々対応する形状の第１、２、３蓋部３２１０，３２２０，３２３０で構成されて、手首側端部に包丁が滑り落ちて手首に外傷を与えることを防止するために鍔３２１５が上側に突出して折り曲げるように形成されている。
【００８６】
ここで、外側部材３２００は、包丁の刃からユーザの手を保護できるほどの硬度を有して人体に無害なチタニウムやステンレス鋼などの素材を採用することが好ましい。
【００８７】
そして、その第１、第２蓋部３１１０，３１２０を回転可能に結合させる結合ピン３４１０は概略棒状をなし、その一端部が折曲形成された折曲部３４１０ａを有する。
【００８８】
また、第１、第２蓋部３１１０，３１２０は、相互間の連結部位に互いに噛み合う構造の複数の差込部３１１５，３１２５が各々形成されて、その差込部３１１５，３１２５は一直線上で前記結合ピン３４１０が貫通するように通孔３１１５ａ，３１２５ａが各々形成され、その差込部３１１５，３１２５のうちの最も外側のものは結合ピン３４１０が結合された後には不要に回転しないように通孔３１２５ａの外側に前記結合ピン３４１０の折曲部３４１０ａが受容可能な固定溝３１２２が形成されている。
【００８９】
その第３蓋部３１３０は、第１、第２蓋部３１１０、３１２０と連結する部位とは離隔した位置に配置され、回転可能に結合ピン３４１０で第１蓋部３１１０にピン結合される構造を有し、親指を覆う構造になっている。
【００９０】
また、バンド部材３３００は、ユーザの手首を巻回し、内側部材３１００をユーザの手に密着させるために弾力的な材質（一例：ゴム、合成樹脂など）を採用することが好ましく、その構造は手首の蓋部３３１０とその手首の蓋部３３１０から両外側に延伸する両端部とで構成され、その両端部が手首に巻回された状態で固定するように、相互対応する凹凸形状の凹凸部３３２０，３３３０が両端部に各々備えられ、その両端部の締結のために係止環３３４０と係止部３３４５が設けられている。    
【００９１】
その係止環３３４０は、バンド部材３３００の両端部の外周面を環状に巻回するように設けられたものであり、係止部３３４５は一端部が横方向に外側に延伸形成された構造を有する。
【００９２】
このような構成を有する本発明の実施例４に対する作用を説明すれば次の通りである。
【００９３】
本発明の厨房用ハンドプロテクタは、先ずその組立て過程を説明すれば、バンド部材３３００の手首の蓋部３３１０を内側部材３１００の第１蓋部３１１０の下側面と面接触するようにした後、シリコンなどの接着剤を用いて一体的に接着させて、第３蓋部３１３０を第１蓋部３１１０の一側に結合ピン３４１０によって回転可能に結合させる。
【００９４】
その次、第２蓋部３１２０を第１蓋部３１１０の指の部位側に互いに噛合させて、各々の通孔３１１５ａ，３１２５ａが一直線上に位置するように整列させた後に結合ピン３４１０を挿入させて、第２蓋部を第１蓋部に回転可能に結合させる。
【００９５】
続いて、外側部材３２００の第１蓋部３２１０を内側部材３１００の第１蓋部３１１０の上側に位置するようにした後、シリコンで接着させて一体化し、第２、３カバー３２２０，３２３０も第２、３蓋部３１２０，３１３０の上側に各々一体的に接着させる。
【００９６】
通孔３１１５ａ，３１２５ａが一直線上に整列し、結合ピン３４１０が各々の通孔に各々挿入され、その結合ピン３４１０が空回りしないように、結合ピン３４１０の折曲部３４１０ａが固定溝３１２２内に受容されれば組立て過程が完了する。
【００９７】
前記組立て順序に従えば組立てが容易だが、その組立て順序は前記に限定されず、組立てを容易になしうる範囲内でいくらでも変更することができる。
【００９８】
組立てが完了した本発明の厨房用ハンドプロテクタは、ユーザが厨房で料理材料を切るために包丁を用いる前に、包丁を使わない手に着用し、その着用過程は先ず指が第２蓋部３１２０の空間部３１０５内に受容されるように手を入れた後、バンド部材３３００の手首の蓋部３３１０が手首の周りに位置するようにすると共に、バンド部材３３００の両端部のうちの一端部を手首の外側に巻回した後に係止部３３４５を係止環３３４０に固定させて凹凸部３３２０，３３３０を圧力嵌め方式で相互に結合させる。
【００９９】
これによって、第３蓋部３１３０は親指の上側に位置し、第１、第２蓋部３１１０，３１２０は親指を除いた残りの指の上側に位置するようになると共に第２蓋部３１２０の端部に形成された空間部３１０５内に親指を除いた残りの指の末節が受容される。
【０１００】
このように着用が完了した後には切ろうとする対象物の料理材料の部位を第２蓋部３１２０の端部で上側から押さえて固定して包丁を使うことができ、ユーザが不注意で誤りをしてもスチール材の外側部材３２００で包丁の刃からユーザの手を保護することができる。
【０１０１】
一方、バンド部材の他の例は図２６に示すようであり、同図面に示されたバンド部材３３００は、図２３〜図２５に説明したバンド部材と比較した時、両端部には圧力嵌め方式により相互に結合する凹凸部ではなく、雌・雄ベルクロテープ３３６０，３３６５が設けられている点に差異がある。
【０１０２】
また、内側部材の第２蓋部の第４実施例の他の例は図２７に示す。同図面に示された内側部材３１００の第２蓋部３１２０は、第１蓋部３１００との連結部位にだけ結合ピンが設けられるよう構成された第２蓋部とは異なって、全ての指の各関節が結合ピン３４１０によって相互に結合されている。
【０１０３】
本発明は、特定実施例を例示して説明するが、本発明が上記実施例に限定されることはない。当業者は本発明に対する多様な変形、修正を容易にすることができ、このような変形または修正が本発明の特徴を用いる限り本発明の範囲に含まれるということを明らかにする。
【図面の簡単な説明】
【０１０４】
図１は、本発明の実施例１に係わる厨房用ハンドプロテクタを示す斜視図である。
【０１０５】
図２は、図１の要部断面図である。
【０１０６】
図３は、本発明の実施例１における内側部材の他の例であって、指の部位に滑り防止用突起が形成されていることを示す断面図である。
【０１０７】
図４は、本発明の実施例１における内側部材の他の例であって、内側部材の一部位に網目状のメッシュ部が用いられていることを示す正面図である。
【０１０８】
図５は、本発明の実施例１における内側部材の他の例であって、内側部材の全体が網目状のメッシュになっていることを示す斜視図である。
【０１０９】
図６は、本発明の実施例１における外側部材の他の例を示す斜視図である。
【０１１０】
図７は、本発明の実施例１におけるバンド部材の結合構造の他の例を示す要部斜視図である。
【０１１１】
図８は、図７のＡＡ方向断面図である。
【０１１２】
図９は、本発明の実施例１におけるバンド部材の結合構造のまた他の例を示す要部斜視図である。
【０１１３】
図１０は、本発明の実施例１における内側部材のまた他の例であって、内側部材の下側面に補強材を取付けた例を示す斜視図である。
【０１１４】
図１１は、本発明の実施例２に係わる厨房用ハンドプロテクタを示す斜視図である。
【０１１５】
図１２は、本発明の実施例２における各々の外側部と内側部材を結合する前の状態を概略的に示す分解斜視図である。
【０１１６】
図１３は、本発明の背面斜視図である。
【０１１７】
図１４は、本発明の実施例２に係わる厨房用ハンドプロテクタの結合構造を概略的に示す断面図である。
【０１１８】
図１５は、本発明の実施例２に対する使用状態図である。
【０１１９】
図１６は、本発明の実施例２に対する使用状態を平面で示す図面である。
【０１２０】
図１７は、本発明の実施例２における第１、第２指の外側部と第１関節外側部の他の例を示す正面図である。
【０１２１】
図１８は、本発明の実施例３に係わる厨房用ハンドプロテクタを示す斜視図である。
【０１２２】
図１９は、図１８に示された各外側部を他の角度で示す斜視図である。
【０１２３】
図２０は、本発明の実施例３に対する使用状態図である。
【０１２４】
図２１は、手の甲の外側部および各指の外側部の他の例を示す要部斜視図である。
【０１２５】
図２２は、図２１の各部の結合状態を示す要部断面図である。
【０１２６】
図２３は、本発明の実施例４に係わる厨房用ハンドプロテクタを示す斜視図である。
【０１２７】
図２４は、図２３のハンドプロテクタの分解斜視図である。
【０１２８】
図２５は、本発明の実施例４における内側部材の第１、第２蓋部の結合過程を示す斜視図である。
【０１２９】
図２６は、本発明の実施例４におけるバンド部材の他の例を示す斜視図である。
【０１３０】
図２７は、本発明の実施例４における内側部材の第２蓋部の他の例を示す斜視図である。
【０１３１】
＊図面の主要部分に対する符号の説明＊
１００：内側部材
１１０：内側部材の指部
１１２：水排出孔
１１５：受容部
１２２：滑り防止用突起
１２５：凹溝部
１５０：メッシュ部
２００：外側部材
２１０：手の甲の外側部
２２０：指の外側部
２１５：鍔
２３０：連結部材
３００：バンド部材
３２２：係止孔
３２４：係止突起
３３２、３３４：ベルクロテープ
３４２：挿通孔
３４４：固定片
４００：補強材
【図１】
2007538170.tif 000003
【図２】
2007538170.tif 000004
【図３】
2007538170.tif 000005
【図４】
2007538170.tif 000006
【図５】
2007538170.tif 000007
【図６】
2007538170.tif 000008
【図７】
2007538170.tif 000009
【図８】
2007538170.tif 000010
【図９】
2007538170.tif 000011
【図１０】
2007538170.tif 000012
【図１１】
2007538170.tif 000013
【図１２】
2007538170.tif 000014
【図１３】
2007538170.tif 000015
【図１４】
2007538170.tif 000016
【図１５】
2007538170.tif 000017
【図１６】
2007538170.tif 000018
【図１７】
2007538170.tif 000019
【図１８】
2007538170.tif 000020
【図１９】
2007538170.tif 000021
【図２０】
2007538170.tif 000022
【図２１】
2007538170.tif 000023
【図２２】
2007538170.tif 000024
【図２３】
2007538170.tif 000025
【図２４】
2007538170.tif 000026
【図２５】
2007538170.tif 000027
【図２６】
2007538170.tif 000028
【図２７】
2007538170.tif 000029
【国際調査報告】
2007538170.tif 000030
2007538170.tif 000031